(57)【要約】【課題】照明器具のセンサユニットの取付性、及び、センサユニットの取付時の安定性を高める。【解決手段】照明器具は、器具本体と、光源ユニット１３と、センサユニット１４とを備える。光源ユニット１３は、光を照射する光源部と、光源部を片面で保持する保持部と、保持部に取り付けられ、光源部を覆うカバー部とを有し、器具本体に着脱自在に取り付けられる。光源ユニット１３は、幅寸法よりも長さ寸法が大きい長尺状になっている。センサユニット１４は、カバー部に形成された発光面１７に対向する第１対向部４２と、保持部の光源部を保持する面とは別の片面である保持部背面１６に対向する第２対向部４９と、第１対向部と第２対向部とを接続するように形成され、光源ユニットの長手方向における端部と対向するように配置される第３対向部４１とを有し、器具本体に着脱自在に取り付けられる。【選択図】図４
2020057629.tif 000002
【特許請求の範囲】
【請求項１】
器具本体と、
光を照射する光源部と、前記光源部を片面で保持する保持部と、前記保持部に取り付けられ、前記光源部を覆うカバー部とを有し、前記器具本体に着脱自在に取り付けられ、幅寸法よりも長さ寸法が大きい長尺状の光源ユニットと、
貫通孔が形成され前記カバー部の発光面の側に配置される第１対向部と、前記第１対向部と対向するように、前記保持部の前記光源部を保持する面とは別の片面である保持部背面の側に配置される第２対向部と、前記第１対向部と前記第２対向部とを接続するように形成され、前記光源ユニットの長手方向における端部と対向するように配置される第３対向部との内側に収納され、一部が前記貫通孔から露出するカメラを有し、前記器具本体に着脱自在に取り付けられるセンサユニットと
を備える照明器具。
【請求項２】
前記センサユニットは、前記内側に収納された電子部品を有しており、
前記電子部品は、前記光源ユニットの前記保持部背面の側に配置された電源装置と前記カメラとを接続している請求項１に記載の照明器具。
【請求項３】
前記センサユニットは、前記電子部品として、前記内側に収納された基板と、前記第２対向部の内側を通り、前記電源装置と前記基板とを接続している電線とを有する請求項２に記載の照明器具。
【発明の詳細な説明】
【技術分野】
【０００１】
本発明は、照明器具に関するものである。
【背景技術】
【０００２】
従来、長尺状の光源ユニットに、光源と電源装置とを備え、この光源ユニットが着脱自在に器具本体に取り付けられるとともに、機能部品が予め器具本体に取り付けられた照明器具がある（例えば、特許文献１参照）。保持部材に保持された機能部品を後付けで光源ユニットに追加できる照明器具もある（例えば、特許文献２参照）。
【先行技術文献】
【特許文献】
【０００３】
【特許文献１】特開２０１４−１７０７３２号公報
【特許文献２】特開２０１５−９５４３４号公報
【発明の概要】
【発明が解決しようとする課題】
【０００４】
特許文献１に記載の照明器具において、人感センサを機能部品として導入する場合、専用の器具本体と光源ユニットとを組み合わせて使用する必要がある。そのため、既設の照明器具との互換性がなく、また、専用の部品や加工が必要となるため、設備の導入や照明器具の製作にかかる費用が増大する。
【０００５】
特に、人感センサを予め器具本体に取り付ける場合は、既存の照明器具よりも組み立てに要する工程が多くなる。そこで、施工時に人感センサを組み込むことが考えられるが、その場合は、高所での作業を増やすことになり、取付性が悪化したり、危険性が増大したりする。
【０００６】
特許文献２に記載の照明器具では、機能部品を保持する保持部材が光源ユニットのカバーの端部である延出部に引っ掛けられており、カバーの延出部には常に機能部品の負荷がかかっている。そのため、樹脂製のカバーの延出部が変形したり、破損したりするおそれがある。カバーの延出部が変形又は破損した場合、機能部品が落下するおそれがある。
【０００７】
本発明は、照明器具のセンサユニットの取付性、及び、センサユニットの取付時の安定性を高めることを目的とする。
【課題を解決するための手段】
【０００８】
本発明の一態様に係る照明器具は、
器具本体と、
光を照射する光源部と、前記光源部を片面で保持する保持部と、前記保持部に取り付けられ、前記光源部を覆うカバー部とを有し、前記器具本体に着脱自在に取り付けられ、幅寸法よりも長さ寸法が大きい長尺状の光源ユニットと、
貫通孔が形成され前記カバー部の発光面の側に配置される第１対向部と、前記第１対向部と対向するように、前記保持部の前記光源部を保持する面とは別の片面である保持部背面の側に配置される第２対向部と、前記第１対向部と前記第２対向部とを接続するように形成され、前記光源ユニットの長手方向における端部と対向するように配置される第３対向部との内側に収納され、一部が前記貫通孔から露出するカメラを有し、前記器具本体に着脱自在に取り付けられるセンサユニットと
を備える。
【発明の効果】
【０００９】
本発明では、センサユニットが、光源ユニットの発光面に対向する第１対向部と、光源ユニットの保持部背面に対向する第２対向部と、第１対向部と第２対向部とを接続するように形成され、光源ユニットの長手方向における端部と対向するように配置される第３対向部とを有しているため、センサユニットの取付性、及び、センサユニットの取付時の安定性が向上する。
【図面の簡単な説明】
【００１０】
【図１】実施の形態１に係る照明器具の斜視図。
【図２】実施の形態１に係る照明器具の分解斜視図。
【図３】実施の形態１に係る光源ユニットの斜視図。
【図４】実施の形態１に係る光源ユニット及びセンサユニットの断面図。
【図５】実施の形態１の変形例に係る光源ユニット及びセンサユニットの断面図。
【図６】実施の形態１の変形例に係る光源ユニット及びセンサユニットの断面図及びＡ矢視図。
【図７】実施の形態２に係る照明器具の斜視図。
【図８】実施の形態２に係る照明器具の分解斜視図。
【図９】実施の形態２に係る光源ユニット及びセンサユニットの断面図。
【図１０】実施の形態２の変形例に係る光源ユニット及びセンサユニットの断面図。
【発明を実施するための形態】
【００１１】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１２】
実施の形態１．
本実施の形態に係る器具の構成、本実施の形態の効果を順番に説明する。
【００１３】
＊＊＊構成の説明＊＊＊
図１及び図２を参照して、本実施の形態に係る器具である照明器具１１の構成を説明する。
【００１４】
図１は、照明器具１１を斜め下方から見た図である。図２は、図１の照明器具１１を分解した図である。なお、本実施の形態の説明において、「上方」、「下方」、「側方」、「前方」、「後方」、「斜め上方」、「斜め下方」といった方向は、照明器具１１が天井に取り付けられる場合の方向を示している。照明器具１１は、壁等、天井以外の被取付部に取り付けられてもよい。
【００１５】
照明器具１１は、器具本体１２と、光源ユニット１３と、センサユニット１４とを備える。
【００１６】
器具本体１２は、幅寸法よりも長さ寸法が大きい長尺状になっている。
【００１７】
光源ユニット１３は、器具本体１２に着脱自在に取り付けられる。光源ユニット１３は、幅寸法よりも長さ寸法が大きい長尺状になっている。
【００１８】
センサユニット１４は、光源ユニット１３に取り付けられる。センサユニット１４は、光源ユニット１３に着脱自在に取り付けられることが望ましい。センサユニット１４が光源ユニット１３に取り付けられた状態において、センサユニット１４の一部は、光源ユニット１３の側方に配置されている。具体的には、センサユニット１４の一部は、光源ユニット１３の高さ方向Ｚに沿って延び、光源ユニット１３の長さ方向Ｙにおける一方の端部の面、即ち、光源ユニット１３の長さ方向Ｙの一端面１５に近接又は接触するように配置されている。
【００１９】
図３を参照して、光源ユニット１３の構成を説明する。
【００２０】
図３は、光源ユニット１３を斜め上方から見た図である。
【００２１】
光源ユニット１３は、図示していない光源部と、保持部３１と、カバー部３２と、光源蓋部３３と、連結部３４と、電源装置３５とを有する。
【００２２】
光源部は、光を照射する。本実施の形態において、光源部は、複数のＬＥＤと、これら複数のＬＥＤが実装された基板とからなる。基板は、光源ユニット１３が器具本体１２に装着された状態で長尺方向が器具本体１２の長尺方向とほぼ一致するように長尺状に形成されている。ＬＥＤは、基板の長尺方向に沿って直線状に並ぶように基板に配置されている。ＬＥＤとしては、４４０ナノメートルから４８０ナノメートル程度の波長の青色光を発するＬＥＤチップ上に青色光を黄色光に波長変換する蛍光体を配してパッケージ化した擬似白色ＬＥＤ等が使用される。なお、ＬＥＤに代えて、有機ＥＬ、レーザダイオード等、他の種類の固体発光素子が用いられてもよい。固体発光素子の数は、複数に限らず、１つであってもよい。
【００２３】
保持部３１は、光源部を片面である、図示してない光源設置面で保持し、電源装置３５を別の片面である保持部背面１６で保持している。本実施の形態において、保持部３１は、長手状である。保持部３１は、光源部が取り付けられる矩形板状の底壁部３６と、底壁部３６の長手方向の両側辺から垂直に突出した側壁部３７とからなる。即ち、保持部３１は、片面が光源設置面であり、別の片面が保持部背面１６である底壁部３６と、この別の片面の両側から立ち上がる側壁部３７とを有する。底壁部３６の光源部が取り付けられる面である光源設置面の反対側の保持部背面１６には、電源装置３５だけでなく、連結部３４も配置されている。
【００２４】
カバー部３２は、保持部３１の光源設置面がある側に取り付けられ、光源部を覆っている。カバー部３２は、光源部から照射される光を、外側に露出している発光面１７から出射する。本実施の形態において、カバー部３２は、長手状である。カバー部３２は、光源部の光軸方向に配置されて光源部から遠ざかる方向に張り出す第１湾曲部３８と、第１湾曲部３８の両側に形成されて光源部に近づく方向に凹む第２湾曲部３９とを有する。第１湾曲部３８は、断面が円弧状に形成されている。第１湾曲部３８は、光源部から照射される光を拡散させることで配光を制御する。第２湾曲部３９は、光源ユニット１３の着脱時に作業者によってつまんで保持される。カバー部３２は、さらに、断面がコ字状であり、第２湾曲部３９の端部に形成され、保持部３１を側壁部３７側より挟み込むように保持部３１に固定される接続部４０を有する。カバー部３２は、押出成形が可能な樹脂材料で形成されている。樹脂材料としては、ポリカーボネート（ＰＣ）等が使用される。カバー部３２には、光の波長変換の機能が付加されていてもよい。
【００２５】
光源蓋部３３は、保持部３１及びカバー部３２の長手方向の両端部に形成される開口を塞いでいる。
【００２６】
連結部３４は、光源ユニット１３を器具本体１２に固定するための金具である。連結部３４には、穴が開けられている。連結部３４は、保持部３１の底壁部３６の２箇所にネジで固定されている。
【００２７】
電源装置３５は、光源部に電力を供給する。これにより、電源装置３５は、光源部を点灯させる。具体的には、電源装置３５は、器具本体１２を介して入力される商用電源からの交流電力を直流電力に変換し、この直流電力を光源部に供給することで、光源部を点灯させる。図示していないが、電源装置３５は、交流電力を直流電力に変換する点灯回路部を有する。点灯回路部は、電源装置３５の箱形状のケースに収容されている。
【００２８】
図２を参照して、器具本体１２の構成を説明する。
【００２９】
器具本体１２は、内側壁２１と、外側壁２２と、底壁２３と、蓋部２４とを有する。
【００３０】
内側壁２１及び外側壁２２は、器具本体１２の長手方向に延びるように１対ずつ設けられている。対になる内側壁２１と底壁２３とに囲まれた空間は、電源装置３５を収納するための空間になっている。外側壁２２は、光源ユニット１３が器具本体１２に装着された状態で保持部３１の保持部背面１６に対して斜めに延びるように形成されている。
【００３１】
底壁２３は、器具本体１２の長手方向に延びるように設けられている。底壁２３には、バネ部２５と端子台２６とが取り付けられている。底壁２３は、被取付部に当たるように被取付部に固定される。底壁２３には、商用電源に接続された電線を引き込むための引込孔２８と、ボルト等の固定具により器具本体１２を被取付部へ固定するための固定孔２７とが設けられている。
【００３２】
蓋部２４は、器具本体１２の短手方向に延びるように、器具本体１２の長手方向の両端に設けられている。蓋部２４には、センサユニット１４との干渉を避けるための切欠部２９が設けられている。蓋部２４の切欠部２９を除いた部分は、内側壁２１、外側壁２２及び底壁２３の長手方向の両端部に形成される開口を塞いでいる。
【００３３】
端子台２６は、引込孔２８から引き込まれる電線と接続し、商用電源から供給される電力を電源装置３５に供給する。そのために、端子台２６は、給電用の電線を介して電源装置３５に接続される。
【００３４】
バネ部２５は、底壁２３において、器具本体１２の長手方向の両端付近に１つずつ配置されている。バネ部２５は、先端部分が折れ曲がっており、中間部分が湾曲している。底壁２３におけるバネ部２５の設置箇所は、保持部３１の底壁部３６における連結部３４の設置箇所と対応している。
【００３５】
ここで、光源ユニット１３の器具本体１２への装着方法を説明する。
【００３６】
まず、器具本体１２のバネ部２５の先端部分が、光源ユニット１３の連結部３４の穴に引っ掛けられる。
【００３７】
次に、光源ユニット１３が器具本体１２側へ押し込まれることで、光源ユニット１３の一部が器具本体１２の内側壁２１の間に形成された空間内に挿入される。このとき、バネ部２５の中間部分が連結部３４の穴の縁部で摺動しながら、連結部３４の先端部分が器具本体１２の底壁２３に当たるまで、光源ユニット１３が押し込まれる。これにより、光源ユニット１３が器具本体１２に固定される。
【００３８】
図１から図４を参照して、センサユニット１４の配置及び構成を説明する。
【００３９】
図４は、光源ユニット１３の長さ方向Ｙの一端から途中までの部分とセンサユニット１４とを光源ユニット１３の長さ方向Ｙに沿って切断した縦断面を示す図である。
【００４０】
前述したように、光源ユニット１３は、保持部３１の器具本体１２に着脱自在に取り付けられる側の面である保持部背面１６と、保持部背面１６と反対側の発光面１７とを有する。保持部背面１６は、保持部３１の光源部を保持する面とは別の片面である。発光面１７は、カバー部３２に形成された面である。光源ユニット１３は、保持部背面１６に設置された電源装置３５を有する。光源ユニット１３は、保持部背面１６の端縁に設置された壁部に相当する光源蓋部３３を有する。
【００４１】
センサユニット１４が光源ユニット１３に取り付けられた状態において、センサユニット１４は、光源ユニット１３の長さ方向Ｙの一端面１５と光源ユニット１３の発光面１７とに跨って取り付けられている。
【００４２】
センサユニット１４は、第１対向部４２と、第２対向部４９と、第３対向部４１と、検出部であるセンサ４３と、電子部品４４と、引掛部４５とを有する。本実施の形態において、センサユニット１４は、電子部品４４として、電線４６を有する。
【００４３】
センサユニット１４が光源ユニット１３に取り付けられた状態において、第１対向部４２は、発光面１７に対向し、第２対向部４９は、保持部背面１６に対向する。センサユニット１４は、第１対向部４２と第２対向部４９とで光源ユニット１３を挟み込む。本実施の形態では、センサユニット１４が樹脂製のカバー部３２の端部に引っ掛けられて固定されるのではなく、センサユニット１４が光源ユニット１３の保持部３１とカバー部３２とを挟み込むように固定されるため、カバー部３２の端部の変形及び破損を防止できる。よって、カバー部３２の端部の変形又は破損によるセンサユニット１４の落下も防止でき、センサユニット１４の取付時の安定性が高まる。
【００４４】
第３対向部４１は、第１対向部４２と第２対向部４９とをつないでいる。センサユニット１４が光源ユニット１３に取り付けられた状態において、第３対向部４１は、光源ユニット１３の長さ方向Ｙの一端面１５に対向する。本実施の形態では、第１対向部４２と第２対向部４９とが水平に延びるように設けられ、第３対向部４１が垂直に延びるように設けられる。
【００４５】
センサユニット１４が光源ユニット１３に取り付けられた状態において、第３対向部４１は、光源ユニット１３の長さ方向Ｙの一端面１５に沿って配置されている。第１対向部４２は、光源ユニット１３の発光面１７に沿って配置されている。即ち、第１対向部４２は、光源ユニット１３の幅方向Ｘに沿って見たときに第３対向部４１と直角をなすように設けられている。第１対向部４２及び第３対向部４１は、内側に空洞部を有する中空形状である。第１対向部４２は、第３対向部４１につながっている。即ち、第１対向部４２の内部空間は、第３対向部４１の内部空間に通じている。本実施の形態では、第１対向部４２と第３対向部４１とが一体成形されている。
【００４６】
センサ４３は、第１対向部４２に固定されている。センサ４３の少なくとも一部は、第１対向部４２の外側に露出している。本実施の形態では、第１対向部４２の底面に貫通孔４７が設けられており、センサ４３の一部が、この貫通孔４７から第１対向部４２の下方に突き出ている。天井等に取り付けられた照明器具１１の使用状態において、センサ４３は、光源ユニット１３よりも直下方向に配置されるため、光源ユニット１３が発する光の影響による誤作動がなくなる。また、照明器具１１の一部がセンサ４３の感知を妨げることもなくなる。よって、センサ４３の性能を最大限に発揮できる。また、センサ４３への不要な光を遮る構造も必要ないため、センサユニット１４の形状を簡略化することができる。
【００４７】
電子部品４４は、第２対向部４９、第３対向部４１及び第１対向部４２に収納されている。センサユニット１４が光源ユニット１３に取り付けられた状態において、電子部品４４は、電源装置３５とセンサ４３とを接続している。本実施の形態では、電子部品４４である電線４６が、電源装置３５とセンサ４３とを直接接続している。電線４６は、具体的には、電源装置３５からセンサ４３への給電用の電線であるか、電源装置３５とセンサ４３との間の信号入出力用の電線であるか、或いは、その両方である。電線４６は、センサ４３から、第１対向部４２、第３対向部４１を順番に通ってセンサユニット１４の外側に延び、電源装置３５の長手方向の一端に接続されている。この電源装置３５の長手方向の一端には、電源装置３５から光源部への給電用の電線も接続されている。電源装置３５の長手方向の他端には、器具本体１２からの給電用の電線が接続される。
【００４８】
本実施の形態において、センサ４３は、人感センサであり、電線４６を介して、電源装置３５の点灯回路部に、人体を感知したかどうかを示す信号を入力する。点灯回路部は、入力された信号に応じて、光源部を点灯又は消灯させたり、調光したりする。人感センサとしては、焦電型の赤外線センサが用いられるが、カメラ等、他の種類の人感センサが用いられてもよい。なお、センサ４３は、照度センサ等、他の種類のセンサであってもよい。即ち、センサユニット１４は、本実施の形態では、直下方向における人の動き等を感知するセンサ４３によって人感センサ機能を発揮するが、連続調光や初期照度補正等、他の機能を発揮するユニットでもよい。
【００４９】
引掛部４５は、第１対向部４２と反対側で第３対向部４１につながっている。本実施の形態では、第２対向部４９に引掛部４５が形成されている。第２対向部４９は、光源ユニット１３の幅方向Ｘに沿って見たときに第３対向部４１と直角をなすように、即ち、第１対向部４２と平行に延びるように設けられている。第２対向部４９は、第１対向部４２及び第３対向部４１と同じように、内側に空洞部を有する中空形状である。第２対向部４９は、第１対向部４２と反対側で第３対向部４１につながっている。即ち、第２対向部４９の内部空間は、第１対向部４２の内部空間と反対側で第３対向部４１の内部空間に通じている。本実施の形態では、第１対向部４２と第３対向部４１と第２対向部４９とが一体成形されている。引掛部４５は、第２対向部４９の光源ユニット１３に対向する面、即ち、第２対向部４９の下端面から断面が三角形状をなすように突き出ている。センサユニット１４が光源ユニット１３に取り付けられた状態において、引掛部４５は、光源ユニット１３の光源蓋部３３に引っ掛けられている。光源ユニット１３の一部に引掛部４５が嵌められることで、特別な工具を必要とせずに簡易的にセンサユニット１４を光源ユニット１３に取り付けることができる。そのため、センサ機能の付加による光源ユニット１３の組立性や着脱性の悪化を最小限に抑えることができる。
【００５０】
センサユニット１４の内部は、センサ４３が設置された第１対向部４２から、引掛部４５が形成された第２対向部４９にわたって空洞となっている。即ち、第１対向部４２と第２対向部４９と第３対向部４１との内側には、互いに通じる空間４８が形成されている。この空間４８は、電子部品４４を収納するためのものであり、本実施の形態では、前述した電線４６を配線するための配線路として使用される。そのため、電線４６が露出することによる光源ユニット１３の着脱性の悪化や電線４６の損傷を防止することができる。
【００５１】
センサユニット１４とともに光源ユニット１３が器具本体１２に取り付けられた状態において、第２対向部４９及び第３対向部４１のそれぞれの一部は、器具本体１２に設けられた切欠部２９に嵌められている。そのため、既存の光源ユニット１３より突出したセンサユニット１４と器具本体１２との干渉を回避することができる。よって、センサユニット１４を搭載することによる光源ユニット１３の着脱性への影響をなくすことができ、施工作業が既存の照明器具と同等の作業量となる。切欠部２９は、器具本体１２の長手方向の一端部のみに設けられていてもよいが、本実施の形態では、器具本体１２の長手方向の両端部に設けられている。そのため、センサユニット１４を光源ユニット１３の長さ方向Ｙの両端部のどちらに取り付けた場合でも、光源ユニット１３を器具本体１２に取り付けることができる。なお、本実施の形態では、切欠部２９の端縁がコ字状になっているが、切欠部２９の形状は、センサユニット１４の第２対向部４９及び第３対向部４１の形状に合わせて適宜変更することができる。
【００５２】
＊＊＊実施の形態の効果の説明＊＊＊
本実施の形態では、センサユニット１４の一部が光源ユニット１３の高さ方向Ｚに沿って光源ユニット１３の長さ方向Ｙの一端面１５の上を横断するように、センサユニット１４が光源ユニット１３に取り付けられるため、センサユニット１４の取付性、及び、センサユニット１４の取付時の安定性が向上する。
【００５３】
本実施の形態では、センサユニット１４を既存の光源ユニット１３に取り付けることができるため、光源ユニット１３を専用品とする必要がなく、比較的安価な器具本体１２を専用品とするだけで、センサ機能を導入することができる。
【００５４】
本実施の形態では、器具本体１２に対する光源ユニット１３の着脱時に影響のない位置に、センサユニット１４を簡易的に取り付けることができるため、予め光源ユニット１３にセンサユニット１４を取り付けることで、高所での余計な作業が発生せず、施工作業が既存の照明器具と同等の作業量となる。
【００５５】
＊＊＊他の構成＊＊＊
本実施の形態では、センサユニット１４が、電子部品４４として、電線４６を有するが、変形例として、センサユニット１４が、他の部品を有していてもよい。２つの変形例について、主に本実施の形態との差異を説明する。
【００５６】
図５を参照して、第１の変形例におけるセンサユニット１４の配置及び構成を説明する。
【００５７】
図５は、図４と同じように、光源ユニット１３の長さ方向Ｙの一端から途中までの部分とセンサユニット１４とを光源ユニット１３の長さ方向Ｙに沿って切断した縦断面を示す図である。
【００５８】
本例において、センサユニット１４は、電子部品４４として、電線４６のほかに、基板５０を有する。
【００５９】
本例においても、電子部品４４は、第２対向部４９、第３対向部４１及び第１対向部４２に収納されている。センサユニット１４が光源ユニット１３に取り付けられた状態において、電子部品４４は、電源装置３５とセンサ４３とを接続している。本例では、電子部品４４の１つである基板５０が、第３対向部４１に収納されている。基板５０には、センサ４３が実装されている。電線４６は、電源装置３５とセンサ４３とを直接接続する代わりに、電源装置３５と基板５０とを接続している。電線４６は、具体的には、基板５０から、第２対向部４９の内側を通ってセンサユニット１４の外側に延び、電源装置３５の長手方向の一端に接続されている。なお、電線４６の第２対向部４９を通る部分は、コネクタであってもよい。
【００６０】
図６を参照して、第２の変形例におけるセンサユニット１４の配置及び構成を説明する。
【００６１】
図６は、図４及び図５と同じように、光源ユニット１３の長さ方向Ｙの一端から途中までの部分とセンサユニット１４とを光源ユニット１３の長さ方向Ｙに沿って切断した縦断面を示す図である。図６は、矢印Ａからセンサユニット１４を見た図も含んでいる。
【００６２】
本例においても、センサユニット１４は、電子部品４４として、電線４６のほかに、基板５０を有する。
【００６３】
本例においても、電子部品４４は、第２対向部４９、第３対向部４１及び第１対向部４２に収納されている。センサユニット１４が光源ユニット１３に取り付けられた状態において、電子部品４４は、電源装置３５とセンサ４３とを接続している。本例では、電子部品４４の１つである基板５０が、第３対向部４１ではなく、第１対向部４２に収納されている。基板５０には、センサ４３だけでなく、タイマースイッチ５１及び可変スイッチ５２が実装されている。電線４６は、電源装置３５とセンサ４３とを直接接続する代わりに、電源装置３５と基板５０とを接続している。電線４６は、具体的には、基板５０から、第３対向部４１、第２対向部４９の内側を順番に通ってセンサユニット１４の外側に延び、電源装置３５の長手方向の一端に接続されている。
【００６４】
本例では、第１対向部４２の底面に貫通孔４７が３つ設けられており、センサ４３、タイマースイッチ５１及び可変スイッチ５２の一部が、それぞれの貫通孔４７から第１対向部４２の下方に突き出ている。タイマースイッチ５１は、点灯保持時間を調節するためのスイッチである。可変スイッチ５２は、センサ４３の感度を調節するためのスイッチである。
【００６５】
第１の変形例では、センサ４３を基板５０に実装する際に、センサ４３のリード端子を曲げる加工が必要であるが、第２の変形例では、そのような加工が不要となる。また、第２の変形例では、基板５０を小さくすることができる。
【００６６】
実施の形態２．
本実施の形態に係る器具の構成、本実施の形態の効果を順番に説明する。主に実施の形態１との差異を説明する。
【００６７】
＊＊＊構成の説明＊＊＊
図７及び図８を参照して、本実施の形態に係る器具である照明器具１１の構成を説明する。
【００６８】
図７は、図１と同じように、照明器具１１を斜め下方から見た図である。図８は、図７の照明器具１１を分解した図である。
【００６９】
本実施の形態では、センサユニット１４が光源ユニット１３に取り付けられた状態において、センサユニット１４の一部が、光源ユニット１３の高さ方向Ｚに沿って延び、光源ユニット１３の幅方向Ｘにおける一方の端部の面、即ち、光源ユニット１３の幅方向Ｘの一端面１８に近接又は接触するように配置されている。
【００７０】
光源ユニット１３の構成については、図３に示した実施の形態１のものと同じであり、説明を省略する。
【００７１】
図８を参照して、器具本体１２の構成を説明する。
【００７２】
実施の形態１では、センサユニット１４との干渉を避けるための切欠部２９が蓋部２４に設けられているが、本実施の形態では、同様の切欠部２９が内側壁２１に設けられている。
【００７３】
図７から図９を参照して、センサユニット１４の配置及び構成を説明する。
【００７４】
図９は、光源ユニット１３とセンサユニット１４とを光源ユニット１３の幅方向Ｘに沿って切断した縦断面を示す図である。
【００７５】
実施の形態１と同じように、光源ユニット１３は、保持部３１の器具本体１２に着脱自在に取り付けられる側の面である保持部背面１６と、保持部背面１６と反対側の発光面１７とを有する。保持部背面１６は、保持部３１の光源部を保持する面とは別の片面である。発光面１７は、カバー部３２に形成された面である。光源ユニット１３は、保持部背面１６に設置された電源装置３５を有する。光源ユニット１３は、保持部背面１６の端縁に設置された壁部に相当する側壁部３７を有する。
【００７６】
センサユニット１４が光源ユニット１３に取り付けられた状態において、センサユニット１４は、光源ユニット１３の幅方向Ｘの一端面１８と光源ユニット１３の発光面１７とに跨って取り付けられている。
【００７７】
センサユニット１４は、第１対向部５３と、第２対向部４９と、第３対向部４１と、第４対向部５４と、検出部であるセンサ４３と、電子部品４４と、引掛部４５とを有する。本実施の形態において、センサユニット１４は、電子部品４４として、電線４６を有する。
【００７８】
センサユニット１４が光源ユニット１３に取り付けられた状態において、第１対向部５３は、発光面１７に対向し、第２対向部４９は、保持部背面１６に対向する。センサユニット１４は、第１対向部５３と第２対向部４９とで光源ユニット１３を挟み込む。本実施の形態では、実施の形態１と同じように、センサユニット１４が樹脂製のカバー部３２の端部に引っ掛けられて固定されるのではなく、センサユニット１４が光源ユニット１３の保持部３１とカバー部３２とを挟み込むように固定されるため、カバー部３２の端部の変形及び破損を防止できる。よって、カバー部３２の端部の変形又は破損によるセンサユニット１４の落下も防止でき、センサユニット１４の取付時の安定性が高まる。
【００７９】
第３対向部４１は、第１対向部５３と第２対向部４９とをつないでいる。センサユニット１４が光源ユニット１３に取り付けられた状態において、第３対向部４１は、光源ユニット１３の幅方向Ｘの一端面１８に対向する。本実施の形態では、第１対向部５３が湾曲するように設けられ、第２対向部４９が水平に延びるように設けられ、第３対向部４１と第４対向部５４とが垂直に延びるように設けられる。
【００８０】
センサユニット１４が光源ユニット１３に取り付けられた状態において、第３対向部４１は、光源ユニット１３の幅方向Ｘの一端面１８に沿って配置されている。第１対向部５３は、光源ユニット１３の発光面１７に沿って配置されている。第１対向部５３及び第３対向部４１は、内側に空洞部を有する中空形状である。第１対向部５３は、第３対向部４１につながっている。即ち、第１対向部５３の内部空間は、第３対向部４１の内部空間に通じている。本実施の形態では、第１対向部５３と第３対向部４１とが一体成形されている。
【００８１】
センサ４３は、第１対向部５３に固定されている。センサ４３の少なくとも一部は、第１対向部５３の外側に露出している。本実施の形態では、第１対向部５３の底面に貫通孔４７が設けられており、センサ４３の一部が、この貫通孔４７から第１対向部５３の下方に突き出ている。天井等に取り付けられた照明器具１１の使用状態において、センサ４３は、光源ユニット１３よりも直下方向に配置されるため、光源ユニット１３が発する光の影響による誤作動がなくなる。また、照明器具１１の一部がセンサ４３の感知を妨げることもなくなる。よって、センサ４３の性能を最大限に発揮できる。また、センサ４３への不要な光を遮る構造も必要ないため、センサユニット１４の形状を簡略化することができる。
【００８２】
電子部品４４は、第２対向部４９、第３対向部４１及び第１対向部５３に収納されている。センサユニット１４が光源ユニット１３に取り付けられた状態において、電子部品４４は、電源装置３５とセンサ４３とを接続している。本実施の形態では、電子部品４４である電線４６が、電源装置３５とセンサ４３とを直接接続している。電線４６は、具体的には、センサ４３から、第１対向部５３、第３対向部４１を順番に通ってセンサユニット１４の外側に延び、電源装置３５の長手方向の一端に接続されている。
【００８３】
センサ４３は、本実施の形態においても、人感センサであるが、照度センサ等、他の種類のセンサであってもよい。
【００８４】
引掛部４５は、第１対向部５３と反対側で第３対向部４１につながっている。本実施の形態では、第２対向部４９に引掛部４５が形成されている。第２対向部４９は、光源ユニット１３の長さ方向Ｙに沿って見たときに第３対向部４１と直角をなすように設けられている。第２対向部４９は、第１対向部５３及び第３対向部４１と同じように、内側に空洞部を有する中空形状である。第２対向部４９は、第１対向部５３と反対側で第３対向部４１につながっている。即ち、第２対向部４９の内部空間は、第１対向部５３の内部空間と反対側で第３対向部４１の内部空間に通じている。本実施の形態では、第１対向部５３と第３対向部４１と第２対向部４９とが一体成形されている。引掛部４５は、第２対向部４９の光源ユニット１３に対向する面、即ち、第２対向部４９の下端面から断面が三角形状をなすように突き出ている。センサユニット１４が光源ユニット１３に取り付けられた状態において、引掛部４５は、光源ユニット１３の側壁部３７に引っ掛けられている。光源ユニット１３の一部に引掛部４５が嵌められることで、特別な工具を必要とせずに簡易的にセンサユニット１４を光源ユニット１３に取り付けることができる。そのため、センサ機能の付加による光源ユニット１３の組立性や着脱性の悪化を最小限に抑えることができる。
【００８５】
センサユニット１４が光源ユニット１３に取り付けられた状態において、第４対向部５４は、光源ユニット１３の幅方向Ｘの他端面１９に沿って配置されている。即ち、第４対向部５４は、第３対向部４１と平行に延びるように設けられている。第４対向部５４は、第３対向部４１と反対側で第１対向部５３につながっている。本実施の形態では、第４対向部５４と第１対向部５３と第３対向部４１と第２対向部４９とが一体成形されている。なお、第４対向部５４は、中空形状でなくてよい。
【００８６】
センサユニット１４の内部は、センサ４３が設置された第１対向部５３から、引掛部４５が形成された第２対向部４９にわたって空洞となっている。即ち、第１対向部４２と第２対向部４９と第３対向部４１との内側には、互いに通じる空間４８が形成されている。この空間４８は、電子部品４４を収納するためのものであり、本実施の形態では、前述した電線４６を配線するための配線路として使用される。そのため、電線４６が露出することによる光源ユニット１３の着脱性の悪化や電線４６の損傷を防止することができる。
【００８７】
センサユニット１４とともに光源ユニット１３が器具本体１２に取り付けられた状態において、第２対向部４９及び第３対向部４１のそれぞれの一部は、器具本体１２に設けられた切欠部２９に嵌められている。そのため、既存の光源ユニット１３より突出したセンサユニット１４と器具本体１２との干渉を回避することができる。よって、センサユニット１４を搭載することによる光源ユニット１３の着脱性への影響をなくすことができ、施工作業が既存の照明器具と同等の作業量となる。切欠部２９は、器具本体１２の一方の内側壁２１のみに設けられていてもよいが、本実施の形態では、器具本体１２の両方の内側壁２１に設けられている。そのため、センサユニット１４を光源ユニット１３の幅方向Ｙにおいてどちらの向きに取り付けた場合でも、光源ユニット１３を器具本体１２に取り付けることができる。なお、本実施の形態でも、切欠部２９の端縁がコ字状になっているが、切欠部２９の形状は、センサユニット１４の第２対向部４９及び第３対向部４１の形状に合わせて適宜変更することができる。
【００８８】
＊＊＊実施の形態の効果の説明＊＊＊
本実施の形態では、センサユニット１４の一部が光源ユニット１３の高さ方向Ｚに沿って光源ユニット１３の幅方向Ｘの一端面１８の上を横断するように、センサユニット１４が光源ユニット１３に取り付けられるため、センサユニット１４の取付性、及び、センサユニット１４の取付時の安定性が向上する。
【００８９】
本実施の形態では、センサユニット１４を光源ユニット１３の長さ方向Ｙの任意の位置に取り付けることができる。そのため、照明器具１１が施工される環境に応じて、センサユニット１４の配置を柔軟に変更することができる。
【００９０】
＊＊＊他の構成＊＊＊
本実施の形態では、センサユニット１４が、電子部品４４として、電線４６を有するが、変形例として、センサユニット１４が、他の部品を有していてもよい。１つの変形例について、主に本実施の形態との差異を説明する。
【００９１】
図１０を参照して、変形例におけるセンサユニット１４の配置及び構成を説明する。
【００９２】
図１０は、図９と同じように、光源ユニット１３とセンサユニット１４とを光源ユニット１３の幅方向Ｘに沿って切断した縦断面を示す図である。
【００９３】
本例において、センサユニット１４は、電子部品４４として、電線４６のほかに、基板５０を有する。
【００９４】
本例においても、電子部品４４は、第２対向部４９、第３対向部４１及び第１対向部５３に収納されている。センサユニット１４が光源ユニット１３に取り付けられた状態において、電子部品４４は、電源装置３５とセンサ４３とを接続している。本例では、電子部品４４の１つである基板５０が、第１対向部５３に収納されている。基板５０は、具体的には、第１対向部５３の内部で斜めに配置されている。基板５０には、センサ４３が実装されている。電線４６は、電源装置３５とセンサ４３とを直接接続する代わりに、電源装置３５と基板５０とを接続している。電線４６は、具体的には、基板５０から、第３対向部４１、第２対向部４９の内側を順番に通ってセンサユニット１４の外側に延び、電源装置３５の長手方向の一端に接続されている。
【００９５】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。具体的には、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【００９６】
１１  照明器具、１２  器具本体、１３  光源ユニット、１４  センサユニット、１５  一端面、１６  保持部背面、１７  発光面、１８  一端面、１９  他端面、２１  内側壁、２２  外側壁、２３  底壁、２４  蓋部、２５  バネ部、２６  端子台、２７  固定孔、２８  引込孔、２９  切欠部、３１  保持部、３２  カバー部、３３  光源蓋部、３４  連結部、３５  電源装置、３６  底壁部、３７  側壁部、３８  第１湾曲部、３９  第２湾曲部、４０  接続部、４１  第３対向部、４２  第１対向部、４３  センサ、４４  電子部品、４５  引掛部、４６  電線、４７  貫通孔、４８  空間、４９  第２対向部、５０  基板、５１  タイマースイッチ、５２  可変スイッチ、５３  第１対向部、５４  第４対向部。
【図１】
2020057629.tif 000003
【図２】
2020057629.tif 000004
【図３】
2020057629.tif 000005
【図４】
2020057629.tif 000006
【図５】
2020057629.tif 000007
【図６】
2020057629.tif 000008
【図７】
2020057629.tif 000009
【図８】
2020057629.tif 000010
【図９】
2020057629.tif 000011
【図１０】
2020057629.tif 000012